(57)【特許請求の範囲】
【請求項１】
ＩＣＭ録音及び／又はファクシミリ受信された未確認の記憶データの有無を判断する未確認記憶データ判断手段と、前記未確認の記憶データの存在数を判別するデータ数判別手段と、ページングを行ってからの経過時間を計測する計測手段とを備えたページング機能を有する通信装置であって、前記未確認記憶データ判断手段にて、前記記憶データが存在すると判断され、かつ、前記データ数判別手段にて、前記記憶データが一定件数以上であると判別された場合、及び、前記未確認記憶データ判断手段にて、前記記憶データが存在すると判断され、かつ、前記計測手段にて、前回のページングから一定時間以上経過したと判断された場合に、予め設定された受信装置にページングを行う制御手段を備えたことを特徴とするページング機能を有する通信装置。
【請求項２】
前記制御手段は、前記データ数判別手段にて、前記未確認の記憶データの存在数が、３件以上であると判別された場合に、予め設定された受信装置にページングを行うことを特徴とする請求項１記載のページング機能を有する通信装置。
【請求項３】
前記制御手段は、前記計測手段にて、前回のページングから１時間以上経過したと判断された場合に、予め設定された受信装置にページングを行うことを特徴とする請求項１記載のページング機能を有する通信装置。
【発明の詳細な説明】
【０００１】
【発明の属する技術分野】
本発明は、ページング機能を有する通信装置に関するものである。
【０００２】
【従来の技術】
従来、一般的には、電話回線を通じて通信を行うことができる電話機、ファクシミリ装置、パソコン等の通信機器等においては、受信された受信データは、当該通信機器から音声や画像データとしてスピーカ、プリンタ、ＣＲＴ画面等により出力される。このような通信機器においては、受信時に当該通信機器の近くにいなくても、受信された受信データを認識することができるように、留守番電話等の形式で受信データの保存がなされている場合が多い。
【０００３】
このような受信データは、ＩＣＭ録音（インカミングメッセージ録音）であったり、ファクシミリ受信データであったりするが、当該ＩＣＭ録音及び／又はファクシミリ受信データ等は、当該通信機器の内部に記憶データとして蓄積されることにより保存されている。
【０００４】
ところで、近年、このような記憶データを、当該機器に近づくことなく外部からの操作により取り出す種々の工夫がなされ、記憶データが着信されると予め登録された受信機に自動発呼して、受信された旨及び受信されたデータの種類を報知するページング機能を有する通信装置が一般的になりつつある。
【０００５】
このようなページング機能を有する通信装置のうち、例えば、留守番電話装置においては、図６にフローチャートで示すように、留守番電話設定モードであり（Ｓ５１：ＹＥＳ）、かつ、ページング設定モードであることが確認された場合（Ｓ５２：ＹＥＳ）、ＩＣＭ録音及び／又はファクシミリ受信データを、ポケットベルや携帯電話等の予め登録された受信機にページングすることとなる（Ｓ５３）。
【０００６】
【発明が解決しようとする課題】
しかしながら、このようなページング機能を有する通信装置においては、着信があるたびごとに自動発呼がなされることから、例えば、ポケットベル利用者にとっては呼び出される回数が増加して行動に制約を与える等の煩わしさがあった。また携帯電話利用者にとっては、電話代が必要以上にかさむ等の不便があった。
【０００７】
上記課題を解決するための本発明のページング機能を有する通信装置においては、着信のたびごとにページングすることをやめ、一定件数、又は、一定時間ごとにページングするようにした。即ち、請求項１のページング機能を有する通信装置は、ＩＣＭ録音及び／又はファクシミリ受信された未確認の記憶データの有無を判断する未確認記憶データ判断手段と、上記未確認の記憶データの存在数を判別するデータ数判別手段と、ページングを行ってからの経過時間を計測する計測手段とを備えたページング機能を有する通信装置であって、上記未確認記憶データ判断手段にて、上記記憶データが存在すると判断され、かつ、上記データ数判別手段にて、上記記憶データが一定件数以上であると判別された場合、及び、上記未確認記憶データ判断手段にて、上記記憶データが存在すると判断され、かつ、上記計測手段にて、前回のページングから一定時間以上経過したと判断された場合に、予め設定された受信装置にページングを行う制御手段を備えるものである。請求項２のページング機能を有する通信装置は、制御手段が、データ数判別手段にて、未確認の記憶データの存在数が３件以上であると判別された場合に、予め設定された受信装置にページングを行うものである。
【０００８】
また、請求項３のページング機能を有する通信装置は、制御手段が、計測手段にて、前回のページングから１時間以上経過したと判断された場合に、予め設定された受信装置にページングを行うものである。
【０００９】
【発明の実施の形態】
以下、本発明のページング機能を有する通信装置の一実施形態について、図面を参照しながら説明するが、本発明はこれらに限定されるものではない。
【００１０】
図１は、本発明のページング機能を有する通信装置としてのファクシミリ装置の斜視図であり、図２Ｒ＞２は、そのファクシミリ装置の電気的構成を示したブロック図である。
【００１１】
本発明のページング機能を有する通信装置としてのファクシミリ装置１は、複合機能を有する通信記録装置であるが、ページング機能を有するものであればよく、例えば、パーソナルコンピュータ（ＰＣ）や通常のファクシミリ装置、留守番電話装置であってもよい。
【００１２】
また、受信装置７は、ページング機能を有する通信装置からのページングデータを受信できるものであれば特に限定されない。例えば、電話装置、ファクシミリ装置、パーソナルコンピュータでもよいが、好ましくは、携帯型受信機がよく、例えば、ポケットベル、携帯電話などのいずれであってもよい。
【００１３】
図１に示すように、ファクシミリ装置１の装置本体２は箱状体に形成され、その上面前部には操作パネル３が配設されている。操作パネル３には、テンキー、スタートキー、ページング先設定モードキー、留守番電話モードキー、ページングモードキー、セットキーなどの、各種のファンクションキーなどが設けられており、これらのキーを押下することにより、ページング先のダイヤルの設定、留守番電話モードやページングモードなどの各モード設定などのファクシミリ装置１の各種の操作が行われる。操作パネル３の後部には、液晶（ＬＣＤ）ディスプレイ６が設けられている。このＬＣＤディスプレイ６には、ファクシミリ装置１の設定状態や各種の操作メッセージなどが必要に応じて表示される。
【００１４】
ＬＣＤディスプレイ６の後部には、ファクシミリ機能時に他のファクシミリ装置５１へ送信されるファクシミリ原稿や、コピー機能時に複写されるコピー原稿が、積層載置可能な原稿載置部４が設けられている。この原稿載置部４に載置された各種の原稿は、装置本体２内部へ搬送されて、スキャナ１９（図２参照）により、その原稿の表面に描かれた画像が読み取られる。画像の読み取られた原稿は、更に搬送され、操作パネル３の下方に設けられた原稿排出部９へ積層可能に排出される。
【００１５】
原稿載置部４の後部には、カセット挿嵌部５が設けられている。このカセット挿嵌部５には、複数枚の記録用紙を積層収納可能な用紙カセット（図示せず）が着脱可能に取り付けられる。カセット挿嵌部５に装着された用紙カセットから供給された記録用紙は、印刷に使用された後、原稿排出部９の下方に設けられた記録用紙排出部１０から排出される。
【００１６】
図２に示すように、ファクシミリ装置１は、ファクシミリユニットＦＵおよびプリンタユニットＰＵの２つのユニットがインターフェイス３０により相互に接続されて形成されている。ファクシミリユニットＦＵは、ＣＰＵ１１、ＲＯＭ１２、ＲＡＭ１３、ＥＥＰＲＯＭ１４、ネットワーク・コントロール・ユニット（以下、「ＮＣＵ」と称する）１５、モデム１６、符号器１７、復号器１８、スキャナ１９、操作パネル３、ＬＣＤディスプレイ６、ページング動作を行うための基準となるタイマ２８を備えており、これらはファクシミリ制御回路２０を介して相互に接続されている。
【００１７】
ＣＰＵ１１は、ＮＣＵ１５を介して送受信される各種の信号に基づいて、ファクシミリ制御回路２０に接続された各部を制御し、ファクシミリ動作などを実行するものである。また、ＲＯＭ１２は、図３〜図５に図示するようなページング制御プログラムメモリ１２ａや、このファクシミリ装置１で実行されるその他の制御プログラムを格納した各種のプログラムメモリなどを格納した書換不能なメモリである。
【００１８】
ＲＡＭ１３は、各種のデータを記憶するための書換可能なメモリであり、他のファクシミリ装置５１やスキャナ１９などから受信したデータを記憶するページメモリ１３ａ、留守番電話モードが設定されている時に、発呼者のメッセージ（ＩＣＭ）を記憶する通話メモリ１３ｂ、未確認データカウンタ１３ｃ、未再生データカウンタ１３ｄ、各種カウンタや各種フラグを備えている。未確認データカウンタ１３ｃは、ページングモード設定時に、ファクシミリ受信があった場合にインクリメントされ、そのデータ内容が確認された場合やページングがなされた時にリセットされる。また、未再生データカウンタ１３ｄは、留守番電話モードが設定されていた際に、電話がかかってきた場合にインクリメントされ、その内容（ＩＣＭ）が再生された場合やページングがなされた時にリセットされる。
【００１９】
ＥＥＰＲＯＭ１４は、継続的に保存しておきたいデータを記憶するための書換可能な不揮発性のメモリであり、ＥＥＰＲＯＭ１４に記憶されたデータは、ファクシミリ装置１の電源オフ後も保持される。ＥＥＰＲＯＭ１４には、設定されたページング先の電話番号を記憶するダイヤルメモリ１４ａなどが設けられている。
【００２０】
モデム１６は、ＮＣＵ１５を介して、画像データを変調及び復調し、他のファクシミリ装置５１へ伝送すると共に、伝送制御用の各種手順信号を送受信するためのものである。符号器１７は、スキャナ１９により読み取られた原稿の画像データなどを符号化するものであり、復号器１８は、受信されたファクシミリデータなどを読みだして、これを復号化するものである。スキャナ１９は、原稿載置部４から装置内部へ挿入された原稿の画像を読み取るためのものである。このファクシミリ装置１のファクシミリユニットＦＵは、ＮＣＵ１５、電話回線５２を介して、受信装置７や他のファクシミリ装置５１と接続されている。
【００２１】
プリンタユニットＰＵは、演算装置であるＣＰＵ２１と、そのＣＰＵ２１の動作制御プログラムを記憶するＲＯＭ２２と、ＣＰＵ２１の実行時に使用されるワークメモリや印刷用データを記憶するプリントメモリ等を備えたＲＡＭ２３と、主装置としてのパーソナルコンピュータ（以下、「ＰＣ」と称す）５３が接続されるＰＣ用インターフェイス２４とを備えている。さらに、プリンタユニットＰＵは、印刷用の文字等のベクトルフォントを記憶するキャラクタジェネレータ（以下、「ＣＧ」と称す）２５と、記録を行うインクジェットヘッド２６とを備えている。これらはプリンタ制御回路２７を介して相互に接続されている。
【００２２】
なお、ＰＣ用インターフェイス２４は、例えば、セントロニクス規格に準拠したパラレルインターフェイスであり、ファクシミリ装置１は、このインターフェイス２４に接続されたケーブル５４を介して、ＰＣ５３とデータの送受信が可能にされている。
【００２３】
次に、上記のように構成されたファクシミリ装置１で行われる第一の実施形態としてのページング制御処理について、図３のフローチャートを参照して説明する。
【００２４】
その前に、ページング先の電話番号の設定方法について簡単に説明すると、まず、ページング先設定モードキーを操作して、ページング先設定モードを設定した後、テンキーによりページング先の電話番号を入力し、ＬＣＤディスプレイ６に表示されたその電話番号を確認した後、セットキーを押下して設定する。そして、再度ページング先設定モードキーを押下して、ページング先設定モードを抜ける。なお、留守番電話モードやページングモードは、それぞれのファンクションキーを操作することにより設定解除される。
【００２５】
通常、他のファクシミリ装置５１から送信されてきたデータは、ＮＣＵ１５、モデム１６を介して受信され、一旦ＲＡＭ１３のページメモリ１３ａに記憶される。そのとき、ページングモードが設定されていれば、ＲＡＭ１３の未確認データカウンタ１３ｃをインクリメントし、確認動作がなされるまでその内容はページメモリ１３ａに保持したままにしておく。また、他の電話装置から発呼されていたときに、留守番電話モードが設定されていた場合には、その内容をＲＡＭ１３の通話メモリ１３ｂに記憶すると共にＲＡＭ１３の未再生データカウンタ１３ｄをインクリメントする。
【００２６】
所定間隔毎に割り込み処理にて、本ページング制御処理が開始されると、まず、ページングモードが設定されているか否かが判断される（Ｓ２１）。ページングモードが設定されていると判断された場合には（Ｓ２１：ＹＥＳ）、未再生のＩＣＭ又は未確認のＦＡＸ受信があるか否かをＲＡＭ１３の未確認データカウンタ１３ｃ及び未再生データカウンタ１３ｄに基づいて判断する（Ｓ２２）。
【００２７】
そして、未再生のＩＣＭ又は未確認のＦＡＸ受信があると判断された場合には（Ｓ２２：ＹＥＳ）、未再生のＩＣＭの件数及び未確認のＦＡＸ受信の件数の合計件数（未確認記憶データ数）が一定件数以上であるか否かをＲＡＭ１３の未確認データカウンタ１３ｃ及び未再生データカウンタ１３ｄに基づいて判別する（Ｓ２３）。なお、前記一定件数は必ずしも限定されないが、より機能的に作動させるためには３件程度が好ましい。
【００２８】
次いで、未再生のＩＣＭの件数及び未確認のＦＡＸ受信の件数の合計件数（未確認記憶データ数）が一定件数以上であると判別された場合には（Ｓ２３：ＹＥＳ）、ＥＥＰＲＯＭ１４のダイヤルメモリ１４ａに基づいて、設定されたページング先の電話番号にダイヤルする（Ｓ２４）。続いて、未再生のＩＣＭの件数及び未確認のＦＡＸ受信の件数のデータを送信する（Ｓ２５）。これにより、受信装置７においては、未再生のＩＣＭの件数及び未確認のＦＡＸ受信の件数がディスプレイに表示されるか、あるいは音声により伝達される。従って、ページングを受けた人は、リモコン操作により、未再生のＩＣＭの内容を聞いたり、未確認のＦＡＸ受信の内容を転送させることが可能になる。そして、ＲＡＭ１３の未確認データカウンタ１３ｃ及び未再生データカウンタ１３ｄの値をリセットし（Ｓ２６）、このページング制御処理を終了する。
【００２９】
一方、ページングモードが設定されていないと判断された場合（Ｓ２１：ＮＯ）、未再生のＩＣＭ又は未確認のＦＡＸ受信がないと判断された場合（Ｓ２２：ＮＯ）、未再生のＩＣＭの件数及び未確認のＦＡＸ受信の件数の合計件数（未確認記憶データ数）が一定件数未満であると判別された場合には（Ｓ２３：ＮＯ）、上記Ｓ２４及びＳ２５のページング処理を実行することなく、ページング制御処理を終了する。
【００３０】
このような第一の実施形態のページング制御処理によれば、ページングを受ける側が呼び出される回数が頻繁になることに起因して煩わしさを感じることがない。また、一定件数の情報を一度に入手できるため、機能的である。
【００３１】
また、図４のフローチャートに示すように、本ファクシミリ装置１で行われる第二の実施形態としてのページング制御処理は、前述した第一の実施形態のページング制御処理とは基本的には同じであるので、詳細な説明は省略する。
【００３２】
第二の実施形態のページング制御処理と第一の実施形態のページング制御処理との異なる点は、図３Ｒ＞３のＳ２３の処理の代わりに、図４のＳ３３において前回のページング動作から一定時間が経過したか否かをタイマ２８に基づいて判断する点にあり、また、図３のＳ２６の処理の代わりに、図４のＳ３６におけるタイマ２８のリセット処理（経過時間を０にする処理）が異なるだけである。
【００３３】
なお、タイマ２８（計測手段）は、前回のページング動作が終了すると一旦リセットされて、再び時間の計測を開始するものである。また、前回のページング動作からの経過時間は、必ずしも限定されないが、より機能的に作動させるためには、１時間程度が好ましい。
【００３４】
次に、本ファクシミリ装置１で行われる第三の実施形態としてのページング制御処理（図５参照）について説明する。第三の実施形態のページング制御処理は、図５に示すように、基本的には、前述した第一の実施形態のページング制御処理（未確認記憶データの件数）と第二の実施形態のページング制御処理（前回のページング動作からの経過時間）とを併用したものであり、具体的には、未確認記憶データの件数が一定件数未満であっても（Ｓ４３：ＮＯ）、前回のページング動作からの経過時間が一定時間以上である場合には（Ｓ４４：ＹＥＳ）、ページング動作（Ｓ４５、Ｓ４６）を開始するものである。
【００３５】
そして、Ｓ４７において、ＲＡＭ１３の未確認データカウンタ１３ｃ及び未再生データカウンタ１３ｄの値をリセットすると共に、タイマ２８をリセットして、ページング制御処理を終了する。
【００３６】
通常、ページングを受け取る側は、長時間にわたってページングがない場合に、それがＩＣＭ録音やファクシミリ受信データが存在しないのではなく、ページング機能を有する通信装置が故障した場合を想定して不安になる場合がある。このようにすることにより、ページングを受け取る側が、長時間にわたってページングを受けることがないことによって生じる不安感等を解消することができる。
【００３７】
なお、本発明の未確認記憶データ判断手段は、Ｓ２２の処理に相当し、データ数判別手段は、Ｓ２３の処理に相当し、また、制御手段は、Ｓ２４、Ｓ２５の処理に相当する。
【００３８】
そして、本発明の未確認記憶データ判断手段は、Ｓ３２の処理に相当し、計測手段は、タイマ２８から構成し、また、制御手段は、Ｓ３４、Ｓ３５の処理に相当する。
【００３９】
なお、前記実施形態においては、受信装置として携帯受信機を例にあげて説明したが、ネットワートなどで接続されているパーソナルコンピュータにメッセージを送信するようにしてもよい。
【００４０】
【発明の効果】
以上詳述したように、請求項１のページング機能を有する通信装置によれば、記憶データ件数が一定件数になるまではページングが行われることがないので、ページングを受ける側が呼び出される回数が頻繁になることに起因して煩わしさを感じることがない。また、一定件数の情報を一度に入手できるため、機能的でもある。更に、前回のページングから一定時間が経過するまではページングが行われることがないので、ページングを受ける側が定期的に情報を入手できるため、利便性が高くなる。
【図面の簡単な説明】
【図１】本発明のページング機能を有する通信装置としてのファクシミリ装置の斜視図である。
【図２】そのファクシミリ装置の電気的構成を示すブロック図である。
【図３】第一の実施形態のページング機能を有する通信装置のページング制御処理のフローチャートを示す図である。
【図４】第二の実施形態のページング機能を有する通信装置のページング制御処理のフローチャートを示す図である。
【図５】本発明のページング機能を有する通信装置のページング制御処理のフローチャートを示す図である。
【図６】従来の通信装置のページング制御処理のフローチャートを示す図である。
【符号の説明】
１ ファクシミリ装置
１１ ＣＰＵ
１２ ＲＯＭ
１２ａ ページング制御プログラムメモリ
１３ ＲＡＭ
１３ａ ページメモリ
１３ｂ 通話メモリ
１３ｃ 未確認データカウンタ
１３ｄ 未再生データカウンタ
１４ａ ダイヤルメモリ
２８ タイマ
【図１】
0003837859.tif 000002
【図２】
0003837859.tif 000003
【図３】
0003837859.tif 000004
【図４】
0003837859.tif 000005
【図５】
0003837859.tif 000006
【図６】
0003837859.tif 000007